(57)【要約】【目的】電子広告システムにおける表示内容（コンテンツ）の作成の負担を軽減し、広告効果を高め得る映像表示装置及び映像表示システムを提供する。【構成】ユーザ側装置１と、オンラインマネーシステム２と、コンテンツ提供側装置３とによって映像表示システムが構成される。ユーザ側装置１は、ユーザ端末１１と、プラズマディスプレイ１２と、ディスプレイ姿勢変更装置１３とから成る。ユーザ端末１１はコンテンツ提供側装置３にアクセスして映像コンテンツや制御情報（再生時間情報、再生順情報、姿勢制御情報等）を取得し、前記コンテンツに基づいてプラズマディスプレイ１２に映像を表示させると共に前記姿勢制御情報に基づいてプラズマディスプレイ１２の姿勢を制御する。【選択図】    図２
2004184845.tif 000002
【特許請求の範囲】
【請求項１】
映像表示パネルと、前記映像表示パネルの姿勢変更を行なうための駆動手段と、ネット経由で情報を取得するネット接続手段と、ネット経由で取得したコンテンツに基づいて映像信号を生成して前記映像表示パネルに供給する手段と、ネット経由で取得した姿勢制御情報に基づいて前記駆動手段に指令を与える手段と、を備えたことを特徴とする映像表示装置。
【請求項２】
請求項１に記載の映像表示装置と、ネット経由でコンテンツ及び姿勢制御情報を配信するサーバと、から成ることを特徴とする映像表示システム。
【請求項３】
請求項２に記載の映像表示システムにおいて、前記映像表示装置はユーザ操作により前記サーバにアクセスするための手段を備え、前記サーバは複数のコンテンツを具備する記憶手段と、ユーザ操作によって前記複数のコンテンツのなかから選択されたコンテンツを編集する手段と、編集コンテンツを配信する手段と、を備えていることを特徴とする映像表示システム。
【請求項４】
請求項２又は請求項３に記載の映像表示システムであって、コンテンツに対応して姿勢制御情報が作成されるように構成されたことを特徴とする映像表示システム。
【請求項５】
請求項２乃至請求項４のいずれかに記載の映像表示システムにおいて、コンテンツのプレビューが前記姿勢制御情報に基づいて行なわれるように構成されたことを特徴とする映像表示システム。
【請求項６】
映像表示パネルに映像を表示させる映像表示装置とネット経由でコンテンツを配信するサーバとから成る映像表示システムであって、前記映像表示装置はユーザ操作により前記サーバにアクセスするための手段を備え、前記サーバは複数のコンテンツを具備する記憶手段と、ユーザ操作によって前記複数のコンテンツのなかから選択されたコンテンツを編集する手段と、編集コンテンツを配信する手段と、を備えていることを特徴とする映像表示システム。
【請求項７】
請求項２乃至請求項６のいずれかに記載の映像表示システムにおいて、前記サーバはユーザごとの利用履歴を記憶しており、ユーザの求めに応じて過去に用いたコンテンツを配信及び／又は再編集用のコンテンツとして提示するように構成されたことを特徴とする映像表示システム。
【発明の詳細な説明】
【０００１】
【産業上の利用分野】
この発明は、いわゆる電子広告システムに利用される映像表示装置及び映像表示システムに関する。
【０００２】
【従来の技術】
薄型の液晶ディスプレイやプラズマディスプレイを店舗内のショーウィンドウや壁などに配置し、これに店や商品の広告映像を表示することが考えられる。そして、この表示内容（コンテンツ）をインターネット等を利用してサーバからダウンロードすることが考えられる。なお、個人向けの広告提示方法として、コンテンツ蓄積サーバから取り出したコンテンツを配信して画面表示するものが知られている（特許文献１参照）。
【０００３】
【特許文献１】
特開２００２−１３３２６３号公報
【０００４】
【発明が解決しようとする課題】
しかしながら、ディスプレイを用いた店舗内での店や商品の広告においては、表示内容（コンテンツ）の作成の負担軽減を図ると共に、広告効果を高めるための改良が求められる。
【０００５】
この発明の映像表示装置は、上記の事情に鑑み、電子広告システムにおける表示内容（コンテンツ）の作成の負担を軽減し、広告効果を高め得る映像表示装置及び映像表示システムを提供することを目的とする。
【０００６】
【課題を解決するための手段】
この発明の映像表示装置は、上記の課題を解決するために、映像表示パネルと、前記映像表示パネルの姿勢変更を行なうための駆動手段と、ネット経由で情報を取得するネット接続手段と、ネット経由で取得したコンテンツに基づいて映像信号を生成して前記映像表示パネルに供給する手段と、ネット経由で取得した姿勢制御情報に基づいて前記駆動手段に指令を与える手段と、を備えたことを特徴とする。
【０００７】
上記の構成であれば、映像表示パネルの姿勢変更が行なわれることで、広告効果を高め得る。姿勢制御のための姿勢制御情報やコンテンツはネット経由で与えられ、ユーザが映像表示装置に対して与える必要はないため、ユーザの手間が軽減される。
【０００８】
また、この発明の映像表示システムは、前記映像表示装置と、ネット経由で少なくともコンテンツ及び姿勢制御情報を配信するサーバと、から成ることを特徴とする。上記の映像表示システムにおいて、前記映像表示装置はユーザ操作により前記サーバにアクセスするための手段を備え、前記サーバは複数のコンテンツを具備する記憶手段と、ユーザ操作によって前記複数のコンテンツのなかから選択されたコンテンツを編集する手段と、編集コンテンツを配信する手段と、を備えているのがよい。また、コンテンツに対応して姿勢制御情報が作成されるように構成されているのがよい。また、コンテンツのプレビューが前記姿勢制御情報に基づいて行なわれるように構成されているのがよい。
【０００９】
また、この発明の映像表示システムは、映像表示装置とネット経由でコンテンツを配信するサーバとから成る映像表示システムにおいて、前記映像表示装置はユーザ操作により前記サーバにアクセスするための手段を備え、前記サーバは複数のコンテンツを具備する記憶手段と、ユーザ操作によって前記複数のコンテンツのなかから選択されたコンテンツを編集する手段と、編集コンテンツを配信する手段と、を備えていることを特徴とする。
【００１０】
これらの映像表示システムにおいて、前記サーバはユーザごとの利用履歴を記憶しており、ユーザの求めに応じて過去に用いたコンテンツを配信及び／又は再編集用のコンテンツとして提示するように構成されているのがよい。
【００１１】
【発明の実施の形態】
以下、この発明の実施形態を図１乃至図８に基づいて説明する。
【００１２】
図１に示すように、この実施形態の映像表示システムは、ユーザ側装置１と、オンラインマネーシステム２と、コンテンツ提供側装置３とからなる。オンラインマネーシステム２によってユーザはコンテンツ提供事業者に料金をオンラインで支払うことができる。支払いにはＷｅｂマネーやオンラインバンク等を利用することができる。
【００１３】
ユーザ側装置１は、図２にも示すように、ユーザ端末１１と、プラズマディスプレイ１２と、ディスプレイ姿勢変更装置１３とから成る。ユーザ端末１１は例えばパーソナルコンピュータ（マウスやハードディスクなどを備える）から成り、ネット接続環境（通信ハードウェア及びＷｅｂブラウザソフトウェア等）を備えてインターネット等を介してコンテンツ提供側装置３に接続し、静止画／動画ソフトウェアから成るコンテンツや制御情報（再生時間情報、再生順情報、姿勢制御情報等）を取得して記録媒体に記録する。また、ユーザ端末１１は、静止画再生ソフトウェアやＭＰＥＧプレーヤソフト等の動画再生ソフトウェアを備え、前記再生時間情報や再生順情報に従って静止画／動画ソフトウェアを再生して映像／音声信号を生成し、この映像／音声信号をプラズマディスプレイ１２に供給する。また、ユーザ端末１１は、姿勢制御情報に基づいて駆動指令信号を生成し、図示しないマイクロコンピュータの出力ポートから前記駆動指令信号を出力する。ディスプレイ姿勢変更装置１３は、ディスプレイ支持機構、ギヤ機構、電動モータ、モータドライバ等を備えて成る。モータドライバは前記マイクロコンピュータの出力ポートに接続されており、前記駆動指令信号を受けて電動モータの回転を制御する。電動モータの回転はギヤ機構を介してディスプレイ支持機構に与えられ、これによってプラズマディスプレイ１２が回転等され、その姿勢が例えば縦配置状態や横配置状態等に変化することになる。
【００１４】
ユーザ側装置１で扱うデータには、オンラインマネーシステム２との間でやり取りするデータ（支払いに必要なアカウントや契約情報の送受信）、コンテンツ提供側装置３との間でやり取りするデータがある。コンテンツ提供側装置３との間でやり取りするデータの種類としては、▲１▼登録ユーザとしてシステムに入るためのＬＯＧＩＮ情報（ユーザＩＤ，パスワード）、▲２▼Ｗｅｂマネーでの支払いであればＷｅｂマネーＩＤ情報、▲３▼コンテンツ作成コマンド（ユーザからみれば作成メニュー内の操作になる）、▲４▼ＬＯＧＩＮユーザの課金状態等のアカウント確認情報、▲５▼作成コンテンツのプレビュー、▲６▼作成コンテンツがある。
【００１５】
コンテンツ提供側装置３は、図３にも示すように、システム管理サーバ３１、コンテンツ作成サーバ３２、コンテンツサーバ３３から成る。システム管理サーバ３１は前述の▲１▼から▲４▼のデータに関与する。コンテンツ作成サーバ３２は前記▲３▼コンテンツ作成コマンドに従って、コンテンツサーバ３３からコンテンツを取り出し、前記▲５▼作成コンテンツのプレビューのための送信、及び前記▲６▼作成コンテンツの送信を行なう。
【００１６】
図４はコンテンツ作成の手順を説明する説明図である。ユーザ端末１１のネット接続機能を用いてコンテンツ提供側装置３における広告作成のメインメニューのページにアクセスすると、ユーザ端末１１のモニタ（或いは、プラズマディスプレイ１２）にメインメニューが表示される。ここで、コンテンツの選び方として「カスタムコンテンツ」と「自動コンテンツ」を用意している。カスタムコンテンツはカテゴリからコンテンツを選択していく方法である。自動コンテンツは所定のＱ＆Ａ形式で検索内容の絞り込みを行なっていく方法である。コンテンツとして映像や音声などを複数選ぶことができる。所望の映像や音声など選んだら、メインメニューの「編集・送信」の項目をクリックする。
【００１７】
「編集・送信」の項目をクリックすると、図５に示すように、サブメニューのページが呼び出される。そして、このなかの「映像」の項目をクリックすると、先程のコンテンツ選びで選ばれた映像のリストページが呼び出される。選んだ各映像の「映像」項目をクリックすると、設定ページが呼び出され、この設定ページ上で再生順位と再生時間と再生角度対応とするかどうかの設定が行なえる。各映像について再生角度情報（例えば、０°でディスプレイ横配置、９０°でディスプレイ縦配置等）が付加されており、前記の再生角度対応でＯＮを選択すると、前記再生角度情報が編集コンテンツの付加情報としてユーザ端末１１に送信されることになる。なお、再生角度情報は各映像に対して予め与えておくこともできるし、ユーザが自由に設定することも可能である。また、再生角度情報には角度だけでなく、その角度となるための回転方向（時計回り、反時計回り）の他、回転といった情報も用意することができる。
【００１８】
前記の設定ページ上で決定ボタンをクリックすると、サブメニューに戻る。複数の映像を選択したのであれば、次の「映像」をクリックすればよい。また、「音声」や「フォント」等を設定したいのであれば、サブメニュー上の所望の項目をクリックすればよい。編集が一応完了したのであれば、サブメニュー上の「プレビュー」をクリックする。この「プレビュー」がクリックされると、ユーザが選択した映像等を用いてコンテンツ提供側装置３で編集処理が行なわれ、編集コンテンツが作成される。そして、この編集コンテンツがユーザ端末１１に送信され、ユーザ端末１１のモニタにプレビュー映像が表示される。なお、コンテンツ提供側装置３での処理或いはユーザ端末１１側での処理により、コンテンツのプレビューが前記再生角度情報に基づいて行なわれるようにしてもよい。すなわち、ユーザ端末１１のモニタにディスプレイの映像を表示し、このディスプレイ映像内でプレビュー映像を表示する。そして、例えば、再生角度情報が９０°であれば縦配置状にディスプレイ映像を表示し、ディスプレイ映像内のプレビュー映像も９０°回転させて表示する。このようにすることで、プレビューを実際の表示形態に近づけることができる。
【００１９】
ユーザはプレビューで編集コンテンツを確かめ、満足できたならば、サブメニュー上の「送信」をクリックする。これがクリックされると、確定した編集コンテンツ及び再生角度情報がユーザ端末１１に送信される。なお、例えば、デモ回数を３回とする制限情報をユーザ端末１１に送信し、ユーザ端末１１はプラズマディスプレイ１２にプレビュー映像を表示させると共に再生角度情報によってディスプレイの姿勢を制御する動作を３回だけ実行し、ユーザが出来ばえを確かめることができるようにする。ユーザがメインメニューの「発注」の項目をクリックすると、ユーザ端末１１から購入情報がコンテンツ提供側装置３に送信され、コンテンツ提供側装置３は制限解除情報をユーザ端末１１に送信する。この制限解除情報により、再生回数制限が解除される。また、前記購入情報により、課金処理がなされる。なお、システムの構成上あまり長時間の広告はユーザ側のハードディスク容量やダウンロード時間の関係もあるため、１編集コンテンツの最大再生時間（情報量）を定義しておき、図５の再生時間表示に随時反映させることとしてもよい。
【００２０】
図６はユーザがコンテンツを取得するまでの一連の処理内容を簡潔に示した説明図である。なお、コンテンツ提供側装置３はユーザごとの利用履歴を記憶しておくことができる。この利用履歴には利用日時等の情報だけでなく、編集コンテンツに関する情報（ユーザ番号に対応付けた編集番号、映像ナンバー、音声ナンバー、選択文字等の情報）が含まれており、この情報を用い、ユーザの求めに応じて過去に用いたコンテンツを配信したり、再編集用のコンテンツとして提示することができる。
【００２１】
図７は、ユーザ端末１１における処理内容を示したフローチャートである。なお、再生すべきコンテンツはユーザ端末１１のハードディスク内で、図８に示すごとく、管理されている。ユーザ端末１１は、再生すべきコンテンツがハードディスクに記録されているかどうかを判断し（ステップＳ１）、記録されていれば、内部タイマ（管理データの再生時間に対応）を起動し（ステップＳ２）、再生映像が角度対応かどうかを判断する（ステップＳ３）。角度対応であれば、プラズマディスプレイ１２が当該角度（姿勢）となるよう、ディスプレイ姿勢変更装置１３に指令を与える。そして、映像再生処理を実行し（ステップＳ４）、指定時間が終了したかどうかを判断し（ステップＳ６）、ＮＯであれば再生中かどうかを判断し（ステップＳ７）、再生中であればステップＳ６に進む。ステップＳ６でＹＥＳ及びステップＳ７でＮＯのときには、リトライ再生かどうか判断する（ステップＳ８）。リトライ再生の設定であれば、ステップＳ２に進み、リトライ再生の設定でなければ、次の再生プログラムがあるかどうかを判断し（ステップＳ９）あればステップＳ１に進み、無ければコマンド待機状態となる。
【００２２】
【発明の効果】
以上説明したように、この発明によれば、電子広告システムにおけるコンテンツ作成等の負担を軽減し、また、広告効果を高め得るという効果を奏する。
【図面の簡単な説明】
【図１】この発明の実施形態の映像表示システムの構成を示した説明図である。
【図２】前記映像表示システムにおけるユーザ側の構成及びデータ内容を示した説明図である。
【図３】前記映像表示システムにおけるコンテンツ提供側の構成及びデータ内容を示した説明図である。
【図４】コンテンツ取得形態を示した説明図である。
【図５】コンテンツの編集形態を示した説明図である。
【図６】ユーザがコンテンツを取得するまでの処理例を示した説明図である。
【図７】ユーザ端末における処理例を示したフローチャートである。
【図８】ユーザ端末のハードディスクの記録内容を示した説明図である。
【符号の説明】
１    ユーザ側装置
２    オンラインマネーシステム
３    コンテンツ提供側装置
１１  ユーザ端末
１２  プラズマディスプレイ
１３  ディスプレイ姿勢変更装置
３１  システム管理サーバ
３２  コンテンツ作成サーバ
３３  コンテンツサーバ
【図１】
2004184845.tif 000003
【図２】
2004184845.tif 000004
【図３】
2004184845.tif 000005
【図４】
2004184845.tif 000006
【図５】
2004184845.tif 000007
【図６】
2004184845.tif 000008
【図７】
2004184845.tif 000009
【図８】
2004184845.tif 000010